(57)【要約】【課題】回転電機をより小さい空間に設置する。【解決手段】回転電機のフレーム３０には、吸込口３１および吐出口３２がそれぞれ１つずつ形成される。フレーム３０内の冷却機構１５は、循環ファン１２を備え、第１の空気流通系統５１と第２の空気流通系統５２を含む。第１の空気流通系統５１は、吸込口３１から取り込まれた空気が、回転軸１０に向かって下降し一方の軸受近傍を流れた後に半径方向間隙２４に流入して軸方向に沿って流通し、半径方向溝を通り抜けて吐出口３２から吐出される。第２の空気流通系統５２は、吸込口３１から取り込まれた空気が、回転軸１０に向う途中で分岐されて、固定子２０の外側を軸方向に流通した後に回転軸１０に向かって流れ、もう一方の軸受近傍を流れた後に半径方向間隙２４に流入し軸方向に流通し、半径方向溝を通り抜けて吐出口３２から吐出される。【選択図】図１
2010288392.tif 000002
【特許請求の範囲】
【請求項１】
少なくとも２つの軸受で回転自在に支持されて水平に延びる回転軸と、
前記２つの軸受の間に配置されて前記回転軸に固定されて前記回転軸周りを回転する回転子と、
前記回転子と半径方向に所定の半径方向間隙を保ちながら前記回転子を半径方向外側から覆う中空円板状の複数の鋼鈑が軸方向に積層されてなる鋼鈑群と、前記半径方向間隙を保ちながら前記回転子を半径方向外側から覆う中空円板状で半径方向内側と外側とが連通する半径方向溝が複数形成された間隔板とが、軸方向に交互に積層するように形成された固定子と、
を有する回転電機を気体媒体で冷却する回転電機冷却機構において、
当該回転電機冷却機構は、
前記固定子の一方の軸方向外側に開口し前記気体媒体を取り込み可能な吸込口と、前記固定子の他方の軸方向外側に開口し前記気体媒体を吐出する吐出口と、がそれぞれ１つずつ形成されて、少なくとも前記回転子および固定子を収容するように形成されたフレームと、
前記吸込口から取り込んだ前記気体媒体が、前記フレーム内を循環して前記吐出口から排気されるように構成された循環ファンと、
を有し、
前記フレーム内に、
前記吸込口から取り込まれた前記気体媒体の一部が、前記回転軸に向かって流通し、一方の前記軸受近傍を流れた後に前記半径方向間隙に流入し、前記半径方向間隙内を軸方向に沿って一方向に流通し、前記半径方向間隙から前記半径方向溝を通り抜けて前記吐出口から吐出される第１の気体媒体流通系統と、
前記吸込口から取り込まれた前記気体媒体の一部が、前記回転軸に向う途中で分岐されて、前記固定子の半径方向外側を軸方向に沿って前記一方向に流通した後に前記回転軸に向かって流れ、もう一方の前記軸受近傍を流れた後に前記半径方向間隙に流入し、前記半径方向間隙内を軸方向に前記一方向と反対方向に流通し、前記半径方向間隙から前記半径方向溝を通り抜けて、前記第１の気体媒体流通系統と合流して前記吐出口から吐出される第２の気体媒体流通系統と、
が形成されていることを特徴とする回転電機冷却機構。
【請求項２】
前記第２の気体媒体流通系統は、それぞれが前記固定子の半径方向外側を軸方向に沿って互いに平行に流通する２つの水平流路を含み、
これら２つの水平流路の間には、前記半径方向溝を通り抜けた前記気体媒体が前記循環ファンに向かう上昇流路が形成されていること、
を特徴とする請求項１に記載の回転電機冷却機構。
【請求項３】
前記循環ファンは、前記フレーム内で前記固定子の真上に配置されて、鉛直に延びる鉛直軸の周りを回転し、前記気体媒体を前記第１の気体媒体流通系統または前記第２の気体媒体流通系統を流通した前記気体媒体を吸い込んで、前記吐出口から吐出するように構成されていること、を特徴とする請求項１または請求項２に記載の回転電機冷却機構。
【請求項４】
前記フレームは、前記吸込口が前記循環ファンに軸方向に隣接する位置で上方に開口するように形成されて、前記吐出口が軸方向に前記循環ファンを挟んで前記吸込口と反対側の位置で上方に開口するように形成されていること、を特徴とする請求項３に記載の回転電機冷却機構。
【請求項５】
前記循環ファンは、前記フレーム内で前記吸込口近傍に配置されて、水平に延びる水平軸の周りを回転し、前記気体媒体を吸い込んで、前記気体媒体を前記第１の気体媒体流通系統または前記第２の気体媒体流通系統に流し込んで、前記吐出口から吐出するように構成されていること、を特徴とする請求項１または請求項２に記載の回転電機冷却機構。
【請求項６】
前記循環ファンは、前記固定子の軸方向両側それぞれに前記回転軸と共に回転するように配置されて、
それぞれの循環ファンは、前記吸込口から前記気体媒体を吸い込んだ前記気体媒体を、前記半径方向間隙に軸方向両側それぞれから流し込んだ後に、吐出口から吐出するように構成されていること、
を特徴とする請求項１または請求項２に記載の回転電機冷却機構。
【請求項７】
少なくとも２つの軸受で回転自在に支持されて水平に延びる回転軸と、
前記２つの軸受の間に配置されて前記回転軸に固定されて前記回転軸周りを回転する回転子と、
前記回転子と半径方向に所定の半径方向間隙を保ちながら前記回転子を半径方向外側から覆う中空円板状の複数の鋼鈑が軸方向に積層されてなる鋼鈑群と、前記半径方向間隙を保ちながら前記回転子を半径方向外側から覆う中空円板状で半径方向内側と外側とが連通する半径方向溝が複数形成された間隔板とが、軸方向に交互に積層するように形成された固定子と、
前記固定子の一方の軸方向外側に開口し前記気体媒体を取り込み可能な吸込口と、前記固定子の他方の軸方向外側に開口し前記気体媒体を吐出する吐出口と、がそれぞれ１つずつ形成されて、少なくとも前記回転子および固定子を収容するように形成されたフレームと、
前記吸込口から取り込んだ前記気体媒体が、前記フレーム内を循環して前記吐出口から排気されるように構成された循環ファンと、
を有し、
前記フレームは、
前記吸込口から取り込まれた前記気体媒体の一部が、前記回転軸に向かって流通し、一方の前記軸受近傍を流れた後に前記半径方向間隙に流入し、前記半径方向間隙内を軸方向に沿って一方向に流通し、前記半径方向間隙から前記半径方向溝を通り抜けて前記吐出口から吐出される第１の気体媒体流通系統と、
前記吸込口から取り込まれた前記気体媒体の一部が、前記回転軸に向う途中で分岐されて、前記固定子の半径方向外側を軸方向に沿って前記一方向に流通した後に前記回転軸に向かって流れ、もう一方の前記軸受近傍を流れた後に前記半径方向間隙に流入し、前記半径方向間隙内を軸方向に前記一方向と反対方向に流通し、前記半径方向間隙から前記半径方向溝を通り抜けて、前記第１の気体媒体流通系統と合流して前記吐出口から吐出される第２の気体媒体流通系統と、
が形成されていることを特徴とする回転電機。
【発明の詳細な説明】
【技術分野】
【０００１】
本発明は、回転電機冷却機構およびこの機構を備えた回転電機に関する。
【背景技術】
【０００２】
回転電機は、外気（空気）を吸い込んで機内を循環させることによって、回転電機内部を冷却するものがある。一般に、回転電機のフレームには、外気を吸い込むための開口部（吸込口）と、吸込口から吸い込まれた空気がフレーム内を循環した後に吐出されるための開口部（吐出口）が形成されている。
【０００３】
フレーム内に空気を循環させて、回転電機の内部を冷却する方法は、例えば特許文献１に開示されているように、回転電機内に設けられた冷却ファンによって外気（気体冷媒）を取り込んで回転電機内部を循環させる方法などが知られている。
【先行技術文献】
【特許文献】
【０００４】
【特許文献１】特許第３０４７９１５号公報
【発明の概要】
【発明が解決しようとする課題】
【０００５】
吸込口から吸い込まれた空気は、先ず回転軸を支持する軸受を冷却する。この後に、回転子や固定子を冷却して、吐出口から吐出される。軸受は、少なくとも２つ、すなわち回転軸の負荷側および反負荷側それぞれに配置され、回転軸を支持している。
【０００６】
吸い込んだ空気によって２つの軸受それぞれを最初に冷却するためには、吸込口を少なくとも２つ設ける必要がある。この場合、回転電機のフレームには、２つの吸込口と、１つの吐出口とをあわせて、合計３つの開口部が形成される。
【０００７】
回転電機のフレームの外側には、各吸込口および吐出口それぞれに接続される配管設備が配置される。フレームに吸込口が２つ形成されている場合、例えば吸込口に接続される配管を分岐させる必要があるため、配管設備の構成が複雑になることがある。配管設備の構成が複雑になると、回転電機および配管設備等の付帯設備を設置するための空間をより広くする必要がある。
【０００８】
本発明は上述した課題を解決するためになされたものであり、その目的は、回転電機およびその付帯設備をより小さい空間に設置可能することである。
【課題を解決するための手段】
【０００９】
上記目的を達成するための本発明に係る回転電機冷却機構は、少なくとも２つの軸受で回転自在に支持されて水平に延びる回転軸と、前記２つの軸受の間に配置されて前記回転軸に固定されて前記回転軸周りを回転する回転子と、前記回転子と半径方向に所定の半径方向間隙を保ちながら前記回転子を半径方向外側から覆う中空円板状の複数の鋼鈑が軸方向に積層されてなる鋼鈑群と、前記半径方向間隙を保ちながら前記回転子を半径方向外側から覆う中空円板状で前記鋼鈑群に軸方向に隣接配置されて半径方向内側と外側とが連通する半径方向溝が複数形成された間隔板とが、軸方向に交互に積層するように形成された固定子と、を有する回転電機を気体媒体で冷却する回転電機冷却機構において、当該回転電機冷却機構は、前記固定子の一方の軸方向外側に開口し前記気体媒体を取り込み可能な吸込口と、前記固定子の他方の軸方向外側に開口し前記気体媒体を吐出する吐出口と、がそれぞれ１つずつ形成されて、少なくとも前記回転子および固定子を収容するように形成されたフレームと、前記吸込口から取り込んだ前記気体媒体が、前記フレーム内を循環して前記吐出口から排気されるように構成された循環ファンと、を有し、前記フレーム内に、前記吸込口から取り込まれた前記気体媒体の一部が、前記回転軸に向かって流通し、一方の前記軸受近傍を流れた後に前記半径方向間隙に流入し、前記半径方向間隙内を軸方向に沿って一方向に流通し、前記半径方向間隙から前記半径方向溝を通り抜けて前記吐出口から吐出される第１の気体媒体流通系統と、前記吸込口から取り込まれた前記気体媒体の一部が、前記回転軸に向う途中で分岐されて、前記固定子の半径方向外側を軸方向に沿って前記一方向に流通した後に前記回転軸に向かって流れ、もう一方の前記軸受近傍を流れた後に前記半径方向間隙に流入し、前記半径方向間隙内を軸方向に前記一方向と反対方向に流通し、前記半径方向間隙から前記半径方向溝を通り抜けて、前記第１の気体媒体流通系統と合流して前記吐出口から吐出される第２の気体媒体流通系統と、が形成されていることを特徴とする。
【００１０】
また、本発明に係る回転電機は、少なくとも２つの軸受で回転自在に支持されて水平に延びる回転軸と、前記２つの軸受の間に配置されて前記回転軸に固定されて前記回転軸周りを回転する回転子と、前記回転子と半径方向に所定の半径方向間隙を保ちながら前記回転子を半径方向外側から覆う中空円板状の複数の鋼鈑が軸方向に積層されてなる鋼鈑群と、前記半径方向間隙を保ちながら前記回転子を半径方向外側から覆う中空円板状で前記鋼鈑群に軸方向に隣接配置されて半径方向内側と外側とが連通する半径方向溝が複数形成された間隔板とが、軸方向に交互に積層するように形成された固定子と、前記固定子の一方の軸方向外側に開口し前記気体媒体を取り込み可能な吸込口と、前記固定子の他方の軸方向外側に開口し前記気体媒体を吐出する吐出口と、がそれぞれ１つずつ形成されて、少なくとも前記回転子および固定子を収容するように形成されたフレームと、前記吸込口から取り込んだ前記気体媒体が、前記フレーム内を循環して前記吐出口から排気されるように構成された循環ファンと、を有し、前記フレームは、前記吸込口から取り込まれた前記気体媒体の一部が、前記回転軸に向かって流通し、一方の前記軸受近傍を流れた後に前記半径方向間隙に流入し、前記半径方向間隙内を軸方向に沿って一方向に流通し、前記半径方向間隙から前記半径方向溝を通り抜けて前記吐出口から吐出される第１の気体媒体流通系統と、前記吸込口から取り込まれた前記気体媒体の一部が、前記回転軸に向う途中で分岐されて、前記固定子の半径方向外側を軸方向に沿って前記一方向に流通した後に前記回転軸に向かって流れ、もう一方の前記軸受近傍を流れた後に前記半径方向間隙に流入し、前記半径方向間隙内を軸方向に前記一方向と反対方向に流通し、前記半径方向間隙から前記半径方向溝を通り抜けて、前記第１の気体媒体流通系統と合流して前記吐出口から吐出される第２の気体媒体流通系統と、が形成されていることを特徴とする。
【発明の効果】
【００１１】
本発明によれば、回転電機およびその付帯設備をより小さい空間に設置することが可能になる。
【図面の簡単な説明】
【００１２】
【図１】本発明の第１の実施形態に係る回転電機の一部切欠の概略正面図である。
【図２】本発明の第２の実施形態に係る回転電機の一部切欠の概略正面図である。
【図３】本発明の第３の実施形態に係る回転電機の一部切欠の概略正面図である。
【発明を実施するための形態】
【００１３】
以下、本発明に係る回転電機の実施形態について、図面を参照して説明する。
【００１４】
［第１の実施形態］
本発明の回転電機に係る第１の実施形態について、図１を用いて説明する。図１は、本実施形態の回転電機の一部切欠の概略正面図である。
【００１５】
先ず、本実施形態の回転電機の構成について説明する。本実施形態の回転電機は、ほぼ水平に延びる回転軸１０と、この回転軸１０に固定されてその周りを回転する回転子１１と、この回転子１１を半径方向外側から覆うように固定配置された固定子２０と、少なくとも固定子２０および回転子１１を収容するフレーム３０を有する。このフレーム３０と、フレーム３０内の空気を循環させる循環ファン１２等によって、回転電機を冷却する冷却機構が構成される。
【００１６】
回転軸１０は、一方の端部が負荷に連結される。図１では負荷の図示は省略しているが、回転軸１０の右方に負荷が連結される。また、回転軸１０は、互いに間隔をあけてほぼ水平に、負荷側および反負荷側それぞれに配置された２つの軸受（図示せず）によって、回転自在に支持されている。回転子１１は、回転軸１０を半径方向外側から覆うように配置されている。
【００１７】
固定子２０は、鋼鈑群２１および間隔板２２が軸方向に交互に積層するように構成されている。各鋼鈑群２１は、中空円板状の鋼鈑が軸方向に複数積層されて構成される。複数の鋼鈑それぞれは、回転子１１と半径方向に所定の半径方向間隙２４を保ちながら半径方向外側から回転子１１を覆うように形成される。間隔板２２は、半径方向間隙２４を保ちながら回転子１１を半径方向外側から覆う中空円板状である。この間隔板２２には、半径方向内側と外側を連通するように形成された複数の半径方向溝（図示せず）が、形成されている。半径方向間隙２４および半径方向溝は、空気等の気体媒体が流通可能である。
【００１８】
フレーム３０には、外気を取り込む吸込口３１と、フレーム３０内の空気を吐出する吐出口３２とが、それぞれ１つずつ形成されている。吸込口３１は、固定子２０の反負荷側（図１の左側）の軸方向端部付近の上方で、ほぼ鉛直に開口されている。吐出口３２は、固定子２０の負荷側の軸方向端部付近の上方で、ほぼ鉛直に開口されている。
【００１９】
フレーム３０内には、吸込口３１から吸い込まれた空気が、固定子２０の反負荷側端部を通って回転軸１０に向かって下向きに流通可能な反負荷側空気流路３３が形成されている。また、固定子２０の上部には、固定子２０の真上に形成された上昇流路３６（後述）を挟んで両側に２つの水平流路３５が形成されている。これらの水平流路３５それぞれは、固定子２０の半径方向外側（上方）を軸方向に沿って延びて、互いに平行である。また、これらの水平流路３５それぞれの反負荷側は、反負荷側空気流路３３と連通するように形成されている。一方、固定子２０の負荷側には、２つの水平流路３５それぞれの負荷側と連通された負荷側空気流路３４が形成される。すなわち、反負荷側空気流路３３および負荷側空気流路３４は、水平流路３５によって互いに連通されている。
【００２０】
また、フレーム３０内には、固定子２０の真上で且つ吸込口３１および吐出口３２の間に、循環ファン１２が配置されている。一方、２つの水平流路３５の間には、固定子２０の上部から循環ファン１２に向かって延びる上昇流路３６が形成されている。循環ファン１２は、循環ファン用モータ１３により回転するファンであって、ほぼ鉛直に延びる回転軸の周りを回転する。この循環ファン１２は、上昇流路３６内を流通している空気を吸い込んで、吐出口３２から吐出するように構成されている。
【００２１】
フレーム３０内には、吐出口３２から循環ファン１２に向かって延びる吐出空気流路３７が形成されている。この吐出空気流路３７は、水平に延びた流路で、循環ファン１２が吸い込んだフレーム３０内の空気を吐出口３２に向かって流通させるための流路である。
【００２２】
冷却機構は、フレーム３０内に形成された２つの空気流通系統、すなわち第１の空気流通系統５１および第２の空気流通系統５２が含まれている。図１では、第１の空気流通系統５１は、実線矢印で示し、第２の空気流通系統５２は破線矢印で示している。
【００２３】
第１の空気流通系統５１は、反負荷側に配置された軸受を優先して冷却する系統で、第２の空気流通系統５２は、負荷側に配置された軸受を優先して冷却する系統である。以下に、第１の空気流通系統５１および第２の空気流通系統５２それぞれの空気の流れについて説明する。
【００２４】
第１の空気流通系統５１では、先ず、吸込口３１から取り込まれた空気の一部が、反負荷側流路内を回転軸１０に向かって下降する。この後に、反負荷側の軸受近傍を流通して反負荷側の軸受を冷却する。
【００２５】
反負荷側の軸受近傍を流通した空気は、回転子１１と固定子２０との間に形成された半径方向間隙２４に流入される。流入された空気は、半径方向間隙２４内を軸方向に沿って反負荷側から負荷側に向かって、すなわち図１の左側から右側に向かって流通する。このとき、回転子１１の半径方向外側表面や固定子２０等は、この空気によって冷却される。
【００２６】
半径方向間隙２４内を反負荷側から負荷側に向かって流通する空気は、間隔板２２に形成された半径方向溝を通って上昇流路３６に抜けて、循環ファン１２に向かって上昇する。このとき、半径方向溝を流通する空気によって、固定子２０が冷却される。上昇流路３６を流れて循環ファン１２に吸い込まれた空気は、吐出空気流路３７を流れて吐出口３２から吐出される。以上が、第１の空気流通系統５１内の空気の流れである。
【００２７】
第２の空気流通系統５２では、先ず、吸込口３１から取り込まれた空気の一部が、反負荷側空気流路３３を回転軸１０に向かって下降する途中で分岐されて、２つの水平流路３５それぞれに流れ込む。２つの水平流路３５それぞれに流れ込んだ空気は、それぞれの水平流路３５の内部を、反負荷側から負荷側に向かって、すなわち図１の左側から右側に向かって流通して、負荷側空気流路３４に流れ込む。
【００２８】
負荷側空気流路３４に流れ込んだ空気は、負荷側の軸受近傍を流通してこの軸受を冷却する。負荷側の軸受近傍を流通した空気は、半径方向間隙２４に、負荷側から反負荷側の方向に、すなわち図１の左側から右側に向かって流入される。
【００２９】
半径方向間隙２４内を負荷側から反負荷側に向かって流通する空気は、半径方向溝および上昇流路３６を通り、循環ファン１２に向かって上昇する。このとき、第１の空気流通系統５１と合流する。ここで、回転子１１および固定子２０は、第１の空気流通系統５１と同様に、この空気によって冷却される。循環ファン１２に吸い込まれた空気は、吐出空気流路３７を流れて吐出口３２から吐出される。以上が、第２の空気流通系統５２内の空気の流れである。
【００３０】
なお、水平流路３５それぞれは、水平流路３５を流通する空気が上昇流路３６内の空気と熱交換されないように、断熱材等で水平流路３５の壁面を覆ってもよい。
【００３１】
ここで、吸込口３１近傍の反負荷側空気流路３３、半径方向溝、および上昇流路３６は、第１の空気流通系統５１および第２の空気流通系統５２において互いに共通の流路である。
【００３２】
また、反負荷側空気流路３３内において、第１の空気流通系統５１および第２の空気流通系統５２に分岐される分岐部の流路断面が、ほぼ同じになるように形成しておくとよい。すなわち、２つの水平流路３５それぞれと反負荷側空気流路３３との連結部の流路面積が、反負荷側空気流路３３において回転軸１０に向かって真下に流れる流路面積と、ほぼ同じになるようにしておくとよい。このとき、整流板などを配置して、空気の流動抵抗などを低減しておくとよい。これにより、第１の空気流通系統５１および第２の空気流通系統５２それぞれの空気流量を、ほぼ同じにすることができ、負荷側および反負荷側それぞれの軸受を同じように冷却することが可能になる。
【００３３】
第１の空気流通系統５１および第２の空気流通系統５２それぞれの空気の流れは、循環ファン１２によって発生する強制対流によるものである。なお、本実施形態の循環ファン１２は、第１の空気流通系統５１および第２の空気流通系統５２それぞれの下流側に配置されて、これらの系統５１、５２内の空気を吸引するタイプのファンが用いられている。
【００３４】
以上の説明からわかるように、本実施形態によれば、１つの吸込口３１から外気を吸い込んで、フレーム３０内を循環させて１つの吐出口３２から吐出させることが可能である。吸込口３１および吐出口３２がそれぞれ１箇所のみ形成されているため、回転電機に配置する冷却空気を供給するための配管設備の構成をより単純にすることができる。これにより、回転電機および配管設備等の回転電機用の付帯設備をより小さい空間に設置することが可能になる。
【００３５】
［第２の実施形態］
本発明に係る回転電機の第２の実施形態について、図２を用いて説明する。図２は、本実施形態の回転電機の一部切欠の概略正面図である。なお、本実施形態は、第１の実施形態の変形例であって、第１の実施形態と同一部分または類似部分には、同一符号を付して、重複説明を省略する。
【００３６】
本実施形態の循環ファン１２は、吸込口３１の上流側、すなわち、第１の空気流通系統５１および第２の空気流通系統５２それぞれの上流側に循環ファン１２が配置されて、下流側に向かって空気を送り込むタイプのファンを用いている。この場合、上昇流路３６と吐出空気流路３７は直結されている。図２の例では、吸込口３１は水平に開口されている。循環ファン用モータ１３は、吸込口３１付近でフレーム３０の外側に配置されており、この循環ファン用モータ１３の回転軸は水平に配置されている。
【００３７】
これにより、第１の実施形態と同様の効果が得られると共に、固定子２０の上方のフレーム３０内の構造をより簡素化することができる。
【００３８】
［第３の実施形態］
本発明に係る回転電機の第３の実施形態について、図３を用いて説明する。図３は、本実施形態の回転電機の一部切欠の概略正面図である。なお、本実施形態は、第１の実施形態の変形例であって、第１の実施形態と同一部分または類似部分には、同一符号を付して、重複説明を省略する。
【００３９】
本実施形態の循環ファン１２は、回転軸１０と共に回転する循環ファン１２が、固定子２０の軸方向両側、すなわち負荷側および反負荷側それぞれに配置されている。また、上昇流路３６と吐出空気流路３７は直結されている。
【００４０】
これら２つの循環ファン１２それぞれが回転することによって、吸込口３１付近の空気を吸引して、第１および第２の空気流通系統５１、５２それぞれを流通させる。それぞれの循環ファン１２に吸引された空気は、半径方向間隙２４に軸方向両側から流入される。負荷側および反負荷側それぞれから半径方向間隙２４に流し込まれた空気は、半径方向溝を通って上昇流路３６で合流して、吐出口から吐出する。
【００４１】
これにより、第１の実施形態と同様の効果が得られる。また、循環ファン用モータ１３が不要になるため、固定子２０の上方のフレーム３０内の構造をより簡素化することができる。
【００４２】
［その他の実施形態］
上記実施形態の説明は、本発明を説明するための例示であって、特許請求の範囲に記載の発明を限定するものではない。又、本発明の各部構成は上記実施形態に限らず、特許請求の範囲に記載の技術的範囲内で種々の変形が可能である。
【００４３】
例えば、第１の実施形態では、吸込口３１および吐出口３２が鉛直に開口しているが、これに限らない。例えば、水平に開口するように形成されてもよい。この場合、循環ファン１２を真横に配置して、フレーム３０内の空気を吸引するとよい。
【００４４】
また、吸込口３１と吐出口３２とを軸方向に反対側に形成してもよい。
【符号の説明】
【００４５】
１０…回転軸、１１…回転子、１２…循環ファン、１３…循環ファン用モータ、２０…固定子、２１…鋼鈑群、２２…間隔板、２４…半径方向間隙、３０…フレーム、３１…吸込口、３２…吐出口、３３…反負荷側空気流路、３４…負荷側空気流路、３５…水平流路、３６…上昇流路、３７…吐出空気流路、５１…第１の空気流通系統、５２…第２の空気流通系統
【図１】
2010288392.tif 000003
【図２】
2010288392.tif 000004
【図３】
2010288392.tif 000005